(57)【要約】【課題】側面に吸気口、排気口が形成された発熱機器であっても、発熱機器に適切に空調空気を供給でき、かつ、効率のよい熱回収が実現可能な発熱機器収容ラック及びデータセンタを提供する。【解決手段】前面の上下方向にわたって吸気可能であり、かつ、裏面の上下方向にわたって排気可能であり、吸気と排気を行うためのファンを有する複数の発熱機器を上下方向に積層して収容する発熱機器収容ラックにおいて、発熱機器のうち少なくとも１つが、一側面に空調空気を取り込む吸気口が形成されると共に他側面に排気口３１が形成された横吸排気機器Ｓであり、横吸排気機器Ｓに、横吸排気機器Ｓと略同じ高さ位置のラック前面側から空調空気を取り込み、これを横吸排気機器Ｓの一側面に形成された吸気口に略水平に誘導する空調空気誘導部材３３を設けたものである。【選択図】図３
2011081721.tif 000002
【特許請求の範囲】
【請求項１】
前面の上下方向にわたって吸気可能であり、かつ、裏面の上下方向にわたって排気可能であり、吸気と排気を行うためのファンを有する複数の発熱機器を上下方向に積層して収容する発熱機器収容ラックにおいて、
前記発熱機器のうち少なくとも１つが、一側面に空調空気を取り込む吸気口が形成されると共に他側面に排気口が形成された横吸排気機器であり、
該横吸排気機器に、前記横吸排気機器と略同じ高さ位置のラック前面側から空調空気を取り込み、これを前記横吸排気機器の一側面に形成された前記吸気口に略水平に誘導する空調空気誘導部材を設けたことを特徴とする発熱機器収容ラック。
【請求項２】
前記発熱機器が、前記横吸排気機器と、前面側から吸気して裏面側から排気する通常吸排気機器とからなり、
前記通常吸排気機器を、ラック前面側を吸気側、ラック裏面側を排気側として、吸気側と排気側が揃うようにラック下方に積層して配置すると共に、その上方に前記横吸排気機器を積層して配置し、
前記横吸排気機器を配置した横吸排気機器エリアのラック前面側に、前記横吸排気機器からの排気がラック前面側から前方に流出するのを妨げるための前面仕切部を設け、かつ、前記前面仕切部に、ラック前面側から前記空調空気誘導部材に空調空気を取り込むことを可能とするための取込穴を形成した請求項１記載の発熱機器収容ラック。
【請求項３】
前記空調空気誘導部材には、ラック前面側から前記横吸排気機器の前記吸気口側に一方向に空調空気を流して逆流を防ぐための逆流防止弁が設けられる請求項１または２記載の発熱機器収容ラック。
【請求項４】
前記横吸排気機器は、ラック裏面側に寄せて配置される請求項１〜３いずれかに記載の発熱機器収容ラック。
【請求項５】
発熱機器収容ラックを複数台左右方向に並べてラック列を形成すると共に、該ラック列の裏面側同士を間隔をおいて向かい合わせて空調室内の床面上に配置し、その向かい合わせたラック列の左右方向の一方の端部に、ラック列の下縁から前記空調室の天井に延びるパネルを設けると共に、他方の端部を前記空調室の壁で塞ぎ、かつ、両ラック列の前縁上部に天井に延びるパーティションを設けて、前記空調室内に前記ラック列に囲まれたホットエリアを区画し、そのホットエリア内の天井に、該ホットエリア内の熱気を回収する回収口を形成すると共に、前記空調室内の空調空気をラック列の前面から裏面に通して前記ホットエリアに導入するようにしたデータセンタであって、
前記ラック群は、請求項１〜４いずれかに記載の発熱機器収容ラックを少なくとも１つ含むことを特徴とするデータセンタ。
【請求項６】
発熱機器収容ラックを複数台左右方向に並べてラック列を形成すると共に、該ラック列の前面側同士を間隔をおいて向かい合わせて空調室内の床面上に配置し、その向かい合わせたラック列の左右方向の一方の端部に、ラック列の下縁から前記空調室の天井に延びるパネルを設けると共に、他方の端部を前記空調室の壁で塞ぎ、かつ、両ラック列の前縁上部に天井に延びるパーティションを設けて、前記空調室内に前記ラック列に囲まれたクールエリアを区画し、そのクールエリア内の天井に、空調機からの空調空気を供給する供給口を形成すると共に、前記クールエリア以外のホットエリアの天井に熱気を回収する回収口を形成し、前記空調空気をラック列の前面から裏面に通して前記ホットエリアに導入するようにしたデータセンタであって、
前記ラック群は、請求項１〜４いずれかに記載の発熱機器収容ラックを少なくとも１つ含むことを特徴とするデータセンタ。
【発明の詳細な説明】
【技術分野】
【０００１】
本発明は、スイッチングハブのような側面に吸気口、排気口が形成された発熱機器であっても、発熱機器に適切に空調空気を供給でき、かつ、効率のよい熱回収が実現可能な発熱機器収容ラック及びデータセンタに関するものである。
【背景技術】
【０００２】
発熱機器収容ラックに収容される発熱機器の１つに、スイッチングハブ（機器）がある。
【０００３】
このスイッチングハブ（機器）は、その構成上、前面及び裏面にはモジュラージャックが接続される接続部が多段に整列しているため、機器の内部に空調空気（冷気）を取り込む吸気口及び排気口は、機器の側面に形成されていることが多い。
【０００４】
そのため、こうしたスイッチングハブを発熱機器収容ラックにそのまま収容すると、スムーズに発熱機器収容ラックの前面側から空調空気を取り込むことができないという問題がある。
【０００５】
こうした問題を解決する手段として、特許文献１のような技術がある。
【０００６】
特許文献１では、発熱機器収容ラック内に、空調空気の吸気と排気を分けるための分流部材を設け、その分流部材で空調空気を発熱機器収容ラックの前面側から一方の側面側に誘導し、当該誘導された空調空気を分流部材の上方あるいは下方に配置されたスイッチングハブの吸気口に供給するようにしている。また、スイッチングハブの排気口からの排気は、その下方あるいは上方に配置された分流部材により、発熱機器収容ラックの他方の側面側から裏面側に誘導され、発熱機器収容ラックの裏面側から排出される。
【先行技術文献】
【特許文献】
【０００７】
【特許文献１】特開２００３−２７３５６１号公報
【特許文献２】特表２００６−５２６２０５号公報
【特許文献３】特開２００７−３１６９８９号公報
【発明の概要】
【発明が解決しようとする課題】
【０００８】
しかしながら、特許文献１のような技術では、スイッチングハブ数台ごとに１つの分流部材を配置する必要があるため、発熱機器収容ラック内に複数の分流部材を設ける必要がある。そのため、発熱機器収容ラック内に複数の分流部材とスイッチングハブとを上下に積層して収容することとなり、発熱機器収容ラック内に収容可能なスイッチングハブの台数を維持するためには、複数の分流部材の高さ分、発熱機器収容ラックの高さが高くなってしまい、天井が低い室内には設置できない可能性がある。
【０００９】
また、発熱機器収容ラックの高さを高くしない場合、発熱機器収容ラックに収容できるスイッチングハブの数が少なくなってしまう。
【００１０】
特許文献２のようなモジュラー型データセンタを構成する際には、熱回収の効率を上げるためにホットエリア内の温度を高くすることが望ましいが、そのためには、発熱機器収容ラック内に出来るだけ多くの発熱機器を収容することが望ましい。
【００１１】
本発明は、上記事情に鑑みなされたものであり、側面に吸気口、排気口が形成された発熱機器であっても、発熱機器に適切に空調空気を供給でき、かつ、効率のよい熱回収が実現可能な発熱機器収容ラック及びデータセンタを提供することを目的とする。
【課題を解決するための手段】
【００１２】
本発明は上記目的を達成するために創案されたものであり、前面の上下方向にわたって吸気可能であり、かつ、裏面の上下方向にわたって排気可能であり、吸気と排気を行うためのファンを有する複数の発熱機器を上下方向に積層して収容する発熱機器収容ラックにおいて、前記発熱機器のうち少なくとも１つが、一側面に空調空気を取り込む吸気口が形成されると共に他側面に排気口が形成された横吸排気機器であり、該横吸排気機器に、前記横吸排気機器と略同じ高さ位置のラック前面側から空調空気を取り込み、これを前記横吸排気機器の一側面に形成された前記吸気口に略水平に誘導する空調空気誘導部材を設けた発熱機器収容ラックである。
【００１３】
前記発熱機器が、前記横吸排気機器と、前面側から吸気して裏面側から排気する通常吸排気機器とからなり、前記通常吸排気機器を、ラック前面側を吸気側、ラック裏面側を排気側として、吸気側と排気側が揃うようにラック下方に積層して配置すると共に、その上方に前記横吸排気機器を積層して配置し、前記横吸排気機器を配置した横吸排気機器エリアのラック前面側に、前記横吸排気機器からの排気がラック前面側から前方に流出するのを妨げるための前面仕切部を設け、かつ、前記前面仕切部に、ラック前面側から前記空調空気誘導部材に空調空気を取り込むことを可能とするための取込穴を形成してもよい。
【００１４】
前記空調空気誘導部材には、ラック前面側から前記横吸排気機器の前記吸気口側に一方向に空調空気を流して逆流を防ぐための逆流防止弁が設けられてもよい。
【００１５】
前記横吸排気機器は、ラック裏面側に寄せて配置されてもよい。
【００１６】
また、本発明は、発熱機器収容ラックを複数台左右方向に並べてラック列を形成すると共に、該ラック列の裏面側同士を間隔をおいて向かい合わせて空調室内の床面上に配置し、その向かい合わせたラック列の左右方向の一方の端部に、ラック列の下縁から前記空調室の天井に延びるパネルを設けると共に、他方の端部を前記空調室の壁で塞ぎ、かつ、両ラック列の前縁上部に天井に延びるパーティションを設けて、前記空調室内に前記ラック列に囲まれたホットエリアを区画し、そのホットエリア内の天井に、該ホットエリア内の熱気を回収する回収口を形成すると共に、前記空調室内の空調空気をラック列の前面から裏面に通して前記ホットエリアに導入するようにしたデータセンタであって、前記ラック群は、請求項１〜４いずれかに記載の発熱機器収容ラックを少なくとも１つ含むデータセンタである。
【００１７】
さらに、本発明は、発熱機器収容ラックを複数台左右方向に並べてラック列を形成すると共に、該ラック列の前面側同士を間隔をおいて向かい合わせて空調室内の床面上に配置し、その向かい合わせたラック列の左右方向の一方の端部に、ラック列の下縁から前記空調室の天井に延びるパネルを設けると共に、他方の端部を前記空調室の壁で塞ぎ、かつ、両ラック列の前縁上部に天井に延びるパーティションを設けて、前記空調室内に前記ラック列に囲まれたクールエリアを区画し、そのクールエリア内の天井に、空調機からの空調空気を供給する供給口を形成すると共に、前記クールエリア以外のホットエリアの天井に熱気を回収する回収口を形成し、前記空調空気をラック列の前面から裏面に通して前記ホットエリアに導入するようにしたデータセンタであって、前記ラック群は、請求項１〜４いずれかに記載の発熱機器収容ラックを少なくとも１つ含むデータセンタである。
【発明の効果】
【００１８】
本発明によれば、側面に吸気口、排気口が形成された発熱機器であっても、発熱機器に適切に空調空気を供給でき、かつ、効率のよい熱回収が実現可能な発熱機器収容ラック及びデータセンタを提供できる。
【図面の簡単な説明】
【００１９】
【図１】本発明の一実施の形態に係るデータセンタの平面図である。
【図２】図１のデータセンタ内に配置されるラック群の正面図である。
【図３】本発明の一実施の形態に係る発熱機器収容ラックの平面図である。
【図４】図３の発熱機器収容ラックの正面図であり、（ａ）は前面仕切部を取り外したときの正面図、（ｂ）は前面仕切部を取り付けたときの正面図である。
【図５】図３の発熱機器収容ラックに用いる空調空気誘導部材を示す図であり、（ａ），（ｂ）は斜視図、（ｃ）は要部断面図である。
【図６】図５の空調空気誘導部材を横吸排気機器に取り付けたときの斜視図である。
【発明を実施するための形態】
【００２０】
以下、本発明の好適な実施の形態を添付図面にしたがって説明する。
【００２１】
図１は、本実施の形態に係るデータセンタの平面図である。
【００２２】
図１に示すように、データセンタ１は、空調室２内に４つのラック群３を配置して構成されている。空調室２には、空調室２に出入りするための扉が設けられているが、図１では省略している。
【００２３】
ラック群３は、発熱機器収容ラックとしてのサーバーラック４を複数台左右方向に直線状に並べてラック列５を形成し、２列のラック列５の裏面側同士を間隔をおいて向かい合わせて（背向列設して）空調室２内の床面上に配置し、かつ、その向かい合わせたラック列５の左右方向の一方の端部にパネル（側壁）６を設けると共に、他方の端部を空調室２の壁Ｗで塞ぐことにより構成されている。
【００２４】
サーバーラック４の高さが空調室２の天井に届かない場合、図２に示すように、パネル６を天井Ｒまで延長すると共に、天井Ｒとサーバーラック４との間を塞ぐ、パーティション（上部閉塞部材）７を設ける。パーティション７は、ラック列５の前縁上部から天井Ｒに延びるように形成されており、適宜分割されていてもよい。
【００２５】
ラック群３を形成することで、空調室２内にラック列５に囲まれたホットエリアＨが区画される。ラック列５の端部に設けられたパネル６には、ホットエリアＨ内に出入りするための扉（図示せず）が形成されている。
【００２６】
ホットエリアＨ内の天井Ｒには、ホットエリアＨ内の熱気を回収する回収口（図示せず）が複数形成され、ホットエリアＨ以外の空調室２であるクールエリアＣの天井Ｒには、図示しない空調機からの空調空気（冷気）が供給される供給口（図示せず）が複数形成されている。これら吸気口および回収口には、それぞれに接続されるダクトが天井Ｒに設けられており、空調室２内の空調空気をラック列５の前面から裏面に通してホットエリアＨに導入するようにしている。回収口より回収された熱気は、回収口に接続されたダクトを通って、例えば、ボイラ等に供給される。
【００２７】
なお、本明細書では、空調機からの空調空気（冷気）を供給されるエリアをクールエリアＣ、サーバーラック４からの熱気が排気されるエリアをホットエリアＨという。クールエリアＣの温度は約１０〜２５℃であり、ホットエリアＨの温度は約２５〜４０℃である。
【００２８】
本実施の形態に係るデータセンタ１のラック群３は、本発明の発熱機器収容ラックを少なくとも１つ含むものである。
【００２９】
以下、本発明の発熱機器収容ラックについて説明する。
【００３０】
図３および図４に示すように、本実施の形態に係る発熱機器収容ラックとしてのサーバーラック１００は、直方体の箱状に形成され、発熱機器Ｓ，Ｎを、上下方向に積層して収容する。
【００３１】
サーバーラック１００の前面側には、開閉自在な前面板１００ａが設けられており、裏面側には、前面側と同様に裏面板１００ｂが設けられている。前面板１００ａと裏面板１００ｂはメッシュ状に形成されており（図２参照）、サーバーラック１００は、前面の上下方向にわたって全面で吸気可能であり、かつ、裏面の上下方向にわたって全面で排気可能とされている。なお、本実施の形態では、サーバーラック１００の吸気範囲及び排気範囲は、前述したように、「上下方向にわたって全面」であるが、「発熱機器Ｓ，Ｎに対向する位置であって、上下方向にわたる面」であってもよい。
【００３２】
サーバーラック１００の内部には、前面側に２本、裏面側に２本という具合に、４本の支柱２０が配置され、かつ、前面側の２本の支柱２０の間、および裏面側の２本の支柱２０の間を掛け渡すように複数個の横桁２１がそれぞれ設けられており、この横桁２１に発熱機器Ｓ，Ｎを載置するように構成されている。本実施の形態では、ラック群３を構成する全てのサーバーラック４がサーバーラック１００と同じ内部構造とされるが、全てではなく、一部のサーバーラック４がサーバーラック１００と同じ内部構造であってもよい。
【００３３】
横桁２１は、その両端がボルト２２にて支柱２０に固定されるが、支柱２０には、ボルト２２と螺合する穴（図示せず）が段階的に形成されており、サーバーラック４に載置するサーバーＡ，Ｂの高さに合わせて、上下方向に、取り付け位置を調整できるようになっている。
【００３４】
サーバーラック１００内には、一側面に空調空気を取り込む吸気口（図示せず）が形成されると共に他側面に排気口３１（図６参照）が形成された横吸排気機器としてのスイッチングハブＳと、前面側から吸気して裏面側から排気する通常吸排気機器としてのサーバーＮとが収容される。スイッチングハブＳおよびサーバーＮは、吸気と排気を行うためのファン（図示せず）を有している。ここでは、便宜上スイッチングハブＳおよびサーバーＮを用いる場合を説明するが、決して、スイッチングハブやサーバーの型番が１種類という意味ではなく、スイッチングハブＳ、サーバーＮが複数種類の型番を含むものであってもよい。
【００３５】
本実施の形態では、一例として、２台のスイッチングハブＳ１〜Ｓ２と、６台のサーバーＮ１〜Ｎ６をサーバーラック１００内に収容する場合を説明する。
【００３６】
サーバーラック１００内の下方には、通常吸排気機器としてのサーバーＮ１〜Ｎ６が積層して配置され、その上方に、横吸排気機器としてのスイッチングハブＳ１〜Ｓ２が積層して配置される。スイッチングハブＳ１〜Ｓ２が配置された領域を横給排気機器エリア３２と呼称する。
【００３７】
サーバーラック１００内には、下方から上方にかけて、サーバーＮ１、サーバーＮ２、サーバーＮ３、サーバーＮ４、サーバーＮ５、サーバーＮ６、スイッチングハブＳ１、およびスイッチングハブＳ２が順次配置される。
【００３８】
サーバーＮ１〜Ｎ６は、サーバーラック１００の前面側を吸気側、裏面側を排気側として、吸気側と排気側が揃うようにサーバーラック１００内に配置される。スイッチングハブＳ１〜Ｓ２は、サーバーラック１００の一側面側（図４（ａ）では左側）を吸気側、他側面側（図４（ａ）では右側）を排気側として、吸気側と排気側が揃うようにサーバーラック１００内に配置される。
【００３９】
横吸排気機器としてのスイッチングハブＳ１〜Ｓ２には、スイッチングハブＳ１〜Ｓ２と略同じ高さ位置のラック前面側から空調空気を取り込み、これをスイッチングハブＳ１〜Ｓ２の一側面に形成された吸気口に略水平に誘導する空調空気誘導部材３３が設けられる。
【００４０】
図３および図５（ａ），（ｂ）に示すように、空調空気誘導部材３３は、角筒状に形成されたダクト部３３ａと、ダクト部３３ａの後方（図３では下側）に一体に形成され、空調空気誘導部材３３をスイッチングハブＳに取り付けるための取付部３３ｂとからなる。
【００４１】
ダクト部３３ａは、サーバーラック１００内に設けられた支柱２０を避けるように、その先端部が内側（図３では左側）に折り曲げられたような形状とされており、その先端が開口とされて空調空気取込口３３ｃが形成されている。ダクト部３３ａの先端部（折り曲げ部近傍）には、空調空気誘導部材３３を支柱２０に固定するための固定用金具３３ｄが設けられている。
【００４２】
また、図５（ｃ）に示すように、ダクト部３３ａの先端部には、サーバーラック１００の前面側からスイッチングハブＳの吸気口側に一方向に空調空気を流して逆流を防ぐための逆流防止弁３４が設けられている。逆流防止弁３４は、ダクト部３３ａの両側面に回転自在に支持された軸部３４ａと、軸部３４ａと一体に形成された板状の弁部３４ｂと、弁部３４ｂが空調空気取込口３３ｃ側に揺動しないようにするためのストッパ３４ｃとからなる。
【００４３】
取付部３３ｂには、スイッチングハブＳを挿入・嵌合するための開口部３３ｅが形成されており、取付部３３ｂは、この開口部３３ｅにスイッチングハブＳを挿入・嵌合したときに、スイッチングハブＳの前面の一部と、上面の一部、下面の一部を覆うように形成されている。つまり、取付部３３ｂは、その後方（図３では下側）および他側面側（図３では左側）が開放されるように開口部３３ｅが形成されている。
【００４４】
空調空気誘導部材３３をスイッチングハブＳに取り付けたときの斜視図を図６に示す。図６の状態でスイッチングハブＳをサーバーラック１００に収容すると、図３に示すように、スイッチングハブＳは、サーバーラック１００の裏面側に寄せて配置されることとなる。スイッチングハブＳからの排気は、その他側面側（図３では左側）から排気されるため、スイッチングハブＳは、なるべくサーバーラック１００の裏面側（つまりホットエリアＨ側）に寄せて配置されることが望ましい。なお、スイッチングハブＳの奥行き（前後方向の長さ）はサーバーＮよりも一般に小さいため、サーバーＮを収容できるようにサーバーラック１００を設計すると、スイッチングハブＳの奥行きに対してサーバーラック１００の奥行きが大きくなる。
【００４５】
スイッチングハブＳからの排気の一部は、スイッチングハブＳの他側面側からサーバーラック１００の前面側に流出してしまうおそれがあるため、サーバーラック１００では、スイッチングハブＳ１〜Ｓ２をサーバーラック１００内の上方に配置するようにし、かつ、図３および図４（ｂ）に示すように、横吸排気機器エリア３２の前面側に、スイッチングハブＳ１〜Ｓ２からの排気がラック前面側から前方に流出するのを妨げるための前面仕切部４１を設けるようにした。本実施の形態では、サーバーラック１００の上部から最も上方に配置されたサーバーＮ６の上部側にかけて、前面仕切部４１を設けるようにしている。
【００４６】
前面仕切部４１には、サーバーラック１００の前面側から空調空気誘導部材３３に空調空気を取り込むことを可能とするため、空調空気誘導部材３３の空調空気取込口３３ｃの位置に取込穴４１ａが形成されている。
【００４７】
したがって、サーバーラック１００では、空調空気は、サーバーラック１００の前面側から、メッシュ状の前面板１００ａ、前面仕切部４１の取込穴４１ａを通って、空調空気取込口３３ｃから空調空気誘導部材３３に取り込まれ、空調空気誘導部材３３によりスイッチングハブＳ１〜Ｓ２の吸気口に誘導されることとなる。
【００４８】
また、スイッチングハブＳ１〜Ｓ２からの排気は、スイッチングハブＳ１〜Ｓ２の他側面側に形成された排気口３１より排出され、サーバーラック１００のメッシュ状の裏面板１００ｂを通って、サーバーラック１００の裏面側からホットエリアＨに排出される。横吸排気機器エリア３２の前面側が前面仕切部４１により塞がれているため、スイッチングハブＳ１〜Ｓ２からの排気がサーバーラック１００の前面側から前方のクールエリアＣに流出してしまうことがない。
【００４９】
また、スイッチングハブＳ１〜Ｓ２をサーバーラック１００の上方に配置しているため、スイッチングハブＳ１〜Ｓ２からの排気が十分に暖められて比重が軽くなっていれば、スイッチングハブＳ１〜Ｓ２からの排気が、サーバーラック１００内の下方に回り込んでしまうことはない。なお、スイッチングハブＳ１〜Ｓ２からの排気が十分に暖められていない場合であっても、サーバーラック１００の前面側から下方に回り込んだ排気は、下方のサーバーＮ１〜Ｎ６により吸気されて裏面側のホットエリアＨに排出されるため、スイッチングハブＳ１〜Ｓ２からの排気がサーバーラック１００の前面側から前方のクールエリアＣに流出してしまうことはない。
【００５０】
本実施の形態の作用を説明する。
【００５１】
本実施の形態に係る発熱機器収容ラックとしてのサーバー１００では、横吸排気機器としてのスイッチングハブＳに、スイッチングハブＳと略同じ高さ位置のラック前面側から空調空気を取り込み、これをスイッチングハブＳの一側面に形成された吸気口に略水平に誘導する空調空気誘導部材３３を設けている。
【００５２】
空調空気誘導部材３３を設けることにより、スイッチングハブＳのような側面に吸気口、排気口が形成された発熱機器であっても、当該発熱機器に適切に空調空気を供給することが可能になる。
【００５３】
また、空調空気誘導部材３３は空調空気を略水平に誘導するように、スイッチングハブＳと略水平に設けられるため、空調空気誘導部材３３を設けるためのスペース（高さ方向のスペース）を別途サーバーラック１００内に確保する必要がない。したがって、サーバーラック１００の高さが高くなってしまうこともなく、サーバーラック１００に収容できる発熱機器の数が少なくなってしまうこともない。つまり、サーバーラック１００内に高密度に発熱機器を収容することができ、サーバーラック１００から排出される排気の温度を高く保つことができる。よって、効率のよい熱回収を実現できる。
【００５４】
さらに、サーバーラック１００では、通常吸排気機器としてのサーバーＮを下方に積層して配置すると共に、その上方に横吸排気機器としてのスイッチングハブＳを積層して配置し、スイッチングハブＳを配置した横吸排気機器エリア３２の前面側に前面仕切部４１を設け、その前面仕切部４１に、空調空気誘導部材３３に空調空気を取り込むための取込穴４１ａを形成している。
【００５５】
これにより、スイッチングハブＳからの排気がサーバーラック１００の前面側から前方のクールエリアＣに流出してしまうことがなくなり、かつ、サーバーラック１００の前面側から空調空気誘導部材３３に空調空気を導入することが可能となる。
【００５６】
上記実施の形態では、横吸排気機器の一例としてスイッチングハブＳを挙げたが、これに限らず、本発明は、側面に吸気口、排気口が形成された発熱機器であれば適用可能である。
【００５７】
また、上記実施の形態では、通常吸排気機器の一例としてサーバーＮを挙げたが、これに限らず、例えば、電源装置などであってもよい。
【００５８】
さらに、上記実施の形態では、１つのサーバーラック１００に複数の空調空気誘導部材３３を設けた場合を説明したが、１つだけ設けた場合であってもよい。つまり、スイッチングハブＳが１つの場合であってもよい。
【００５９】
さらにまた、上記実施の形態では、サーバーラック１００の上方にスイッチングハブＳを積層して配置する場合を説明したが、これに限らず、スイッチングハブＳをサーバーラック１００の中央部や下方に積層して配置するようにしてもよい。この場合、スイッチングハブＳを分散させずに集約して配置するようにし、スイッチングハブＳを積層して配置した横吸排気機器エリア３２の前面側に前面仕切板４１を設けるようにすればよい。なお、スイッチングハブＳを下方に積層して配置する場合は、最も上方のスイッチングハブＳの上部側からサーバーラック１００の下部まで前面仕切部４１を設けるようにすればよい。これにより、スイッチングハブＳの排気口から前面側に回った排気は、上方（あるいは下方）の発熱機器に吸い込まれ、裏面側のホットエリアＨに排出されることとなる。
【００６０】
上記実施の形態では、ラック列５間にホットエリアＨを形成するタイプのデータセンタ１を説明したが、ラック列５間にクールエリアＣを形成するタイプのデータセンタであってもよい。
【００６１】
この場合、ラック列５の前面側同士を間隔をおいて向かい合わせてラック群３を形成して、空調室２内にラック列５に囲まれたクールエリアＣを区画し、そのクールエリアＣ内の天井Ｒに、空調機からの空調空気を供給する供給口を形成すると共に、クールエリアＣ以外のホットエリアＨの天井Ｒに熱気を回収する回収口を形成するようにすればよい。
【００６２】
このように、本発明は上記実施形態に限定されるものではなく、本発明の要旨を逸脱しない範囲内で種々の変更を加え得ることは勿論である。
【符号の説明】
【００６３】
１  データセンタ
２  空調室
３  ラック群
４  サーバーラック（発熱機器収容ラック）
５  ラック列
６  パネル
７  パーティション
２０  支柱
２１  横桁
２２  ボルト
３１  排気口
３２  横吸排気機器エリア
３３  空調空気誘導部材
３４  逆流防止弁
４１  前面仕切部
１００  サーバーラック（発熱機器収容ラック）
Ｓ  スイッチングハブ（横吸排気機器）
Ｎ  サーバー（通常吸排気機器）
【図１】
2011081721.tif 000003
【図２】
2011081721.tif 000004
【図３】
2011081721.tif 000005
【図４】
2011081721.tif 000006
【図５】
2011081721.tif 000007
【図６】
2011081721.tif 000008